(57)【要約】【課題】着脱を容易に行うことができるパンチローラー取付構造を得る。【解決手段】ローラーホルダー１０の一方の腕部１４Ａの上面に、貫通孔１６Ａを軸線方向に沿って開口させたスリット部１８を形成し、他方の腕部１４Ｂの外側面には、貫通孔１６Ｂの軸線と直交し孔中心に向けて貫通させたネジ孔２０を形成する。ローラー軸２４には、一方の端部２６Ａ側の外周面に１８０度間隔で配置した２個の凹部２８を形成し、他方の端部２６Ｂの外周面には溝部３０を形成する。パンチローラー１２２をローラーホルダー１０に取り付ける際は、パンチローラー１２２にローラー軸２４の端部２６Ｂ側を途中まで挿入し、凹部２８をスリット部１８に合わせ嵌め入れてローラー軸２４を貫通孔１６Ａ内にセット後、端部２６Ｂを貫通孔１６Ｂに挿入する。挿入後は、六角穴付き止めネジ３２の先端部で溝部３０を固定する。【選択図】　　図２
2004055715.tif 000002
【特許請求の範囲】
【請求項１】
成形部材を外周面により押圧して回転しながら曲げ加工する円筒形状のパンチローラーと、
前記パンチローラーが挿通されて回転可能に支持する軸と、
所定の間隔で配置された一対の腕部を有し、この一対の腕部に形成された同軸の貫通孔に前記軸の両端部が挿入されて軸を支持する支持部材と、
を有するパンチローラー取付構造において、
前記一対の腕部の一方に形成され、前記貫通孔を軸線方向に沿って開口させるとともにその開口幅寸法が貫通孔の内径よりも小さくされたスリット部と、
前記軸の外周面に形成され、軸芯部側の径寸法又は厚さ寸法を前記スリット部の開口幅寸法よりも小さくさせて軸をスリット部から貫通孔に嵌脱可能とする凹部と、
前記凹部を前記貫通孔内に配置した状態から前記軸が軸線方向に所定距離スライドされることによりその貫通孔に挿入される軸の一端部及び他方の腕部の貫通孔に挿入される軸の他端部と、
を有することを特徴とするパンチローラー取付構造。
【請求項２】
前記軸の両端部がそれぞれ前記両貫通孔に挿入された状態で軸の軸線方向への移動を阻止する抜け止め手段を有することを特徴とする請求項１記載のパンチローラー取付構造。
【請求項３】
前記軸の両端部がそれぞれ前記両貫通孔に挿入された状態で軸の回転方向への移動を阻止する回り止め手段を有することを特徴とする請求項１記載のパンチローラー取付構造。
【請求項４】
前記抜け止め手段及び回り止め手段は、前記軸の他端部外周面に形成された溝部と、前記他方の腕部に貫通孔と連通して形成されたネジ孔と、このネジ孔に螺合して軸の他端部が貫通孔に挿入された状態で先端が前記溝部に当接するネジ部材と、により構成されていることを特徴とする請求項２及び請求項３記載のパンチローラー取付構造。
【請求項５】
前記抜け止め手段は、前記軸の他端部が前記他方の腕部の貫通孔に挿入された状態で貫通孔の外側に突出される突出部外周面に形成された周溝部と、前記周溝部に係合する係合部材と、により構成されていることを特徴とする請求項２記載のパンチローラー取付構造。
【請求項６】
前記回り止め手段は、前記軸の一端部側に設けられた突起部と、前記一方の腕部の外面に形成され軸の一端部が貫通孔に挿入された状態で前記突起部が係合する係合溝部と、により構成されていることを特徴とする請求項３記載のパンチローラー取付構造。
【請求項７】
リードを有する電子部品がセットされる曲げダイが取り付けられた固定側金型と、
請求項１〜請求項６の何れか１項記載のパンチローラー取付構造により前記パンチローラーを取り付けた前記支持部材を備えるとともに、前記固定側金型に接近してパンチローラーと前記曲げダイとにより前記リードを成形する可動側金型と、
を有することを特徴とするリード成形金型。
【発明の詳細な説明】
【０００１】
【発明の属する技術分野】
本発明はパンチローラー取付構造及びそれを有するリード成形金型に係り、詳しくは、モールドＩＣ等の電子部品のリードを押し曲げて成形するパンチローラー取付構造及びそれを有するリード成形金型に関する。
【０００２】
【従来の技術】
モールドＩＣ等の電子部品のリードを成形する方法としては、曲げダイとパンチローラーが設けられた金型によりリードを曲げ加工するローラー曲げ方式が多用されている。図７〜図９には、そのローラー曲げ方式によるリード成形方法が示されており、図７のように、成形前のモールドＩＣ１００は、ＩＣ本体１０２の左右側面からリード１０４が横方向に延出され、その状態で、ダイスプレート（固定側金型）１０６の曲げダイ１０８に設けられた凹部１１０にセットされる。ダイスプレート１０６の上方に位置するパンチプレート（可動側金型）１１２には、正面視をコ字状としたローラーホルダー１１４が取り付けられ、ベース部１１６の下面両側部から下方に各々延出された一対の腕部１１８の先端部（図中の下端部）近傍に、ローラー軸１２０に回転可能に支持された一対のパンチローラー１２２が取り付けられている。
【０００３】
また、パンチプレート１１２の貫通孔１２４には、パンチプレート１１２とは独立して駆動するノックアウト１２６が挿通されてローラーホルダー１１４の腕部１１８間に位置しており、ノックアウト１２６の下端面に形成された凹部１２８はパンチローラー１２２近傍に配置されている。
【０００４】
そしてリード１０４を曲げ加工するには、図８のように、パンチプレート１１２及びノックアウト１２６が共に下方に移動して、ノックアウト１２６により左右のリード１０４を曲げダイ１０８との間で挟持しモールドＩＣ１００を強固に保持する。さらに左右リード１０４の上面に各パンチローラー１２２が接し、図９のように、パンチプレート１１２がさらに下方に移動すると、パンチローラー１２２は回転しながらリード１０４を押し下げる。これにより、リード１０４はパンチローラー１２２と曲げダイ１０８の側面１０８Ａとに挟まれ側面１０８Ａに倣って下方にほぼ直角に曲げられる。曲げ加工が完了すると、パンチプレート１１２とノックアウト１２６が上方に移動して元の位置に戻り（図７の位置）、曲げダイ１０８からモールドＩＣ１００を取り外すと、リード１０４が成形されたＩＣが完成する。
【０００５】
また図１０〜図１３は、従来のパンチローラー取付構造が示されている。図１０、１１はローラーホルダーが分離したタイプ（分離型）であり、図１２、１３はローラーホルダーが一体のタイプ（一体型）である。ただし、ローラーホルダーにパンチローラーを取り付ける構造は両者とも同じである。
【０００６】
分離型の場合、同形状とされた一対のローラーホルダー１１４Ａ、１１４Ｂは、腕部１１８Ａ、１１８Ｂを対向させベース部１１６Ａ、１１６Ｂがパンチプレート１１２の取付凹部１３０に嵌め込まれて所定の間隔に配置され、ベース部１１６Ａ、１１６Ｂに２個づつ形成された取付孔１３２にそれぞれ六角穴付ボルト１３４が挿通されて取付凹部１３０底面のネジ穴１３６に固定される。そしてパンチローラー１２２は、腕部１１８Ａ、１１８Ｂに形成された貫通孔１３８Ａ、１３８Ｂ間に配置され、同軸とされた貫通孔１３８Ａ、１３８Ｂに圧入されるローラー軸１２０が挿通されることによりローラーホルダー１１４Ａ、１１４Ｂに取り付けられる。
【０００７】
一体型のローラーホルダー１１４では、直方体形状のベース部１１６に対向配置された腕部１１８が２組設けられており、ベース部１１６が取付凹部１３０に嵌め込まれ六角穴付ボルト１３４により固定される。そしてパンチローラー１２２は、分離型と同様、腕部１１８間に配置され貫通孔１３８を通しローラー軸１２０が挿通されてローラーホルダー１１４に取り付けられる。また、図示を省略したノックアウト１２６は、パンチプレート１１２の貫通孔１２４に対応して形成されたベース部１１６の矩形孔１４０を挿通するようになっている。
【０００８】
【発明が解決しようとする課題】
しかし、上述した従来のパンチローラー取付構造では、パンチローラー１２２を金型に着脱する場合、通常は、パンチプレート１１２からローラーホルダー１１４（１１４Ａ、１１４Ｂ）を取り外してローラー軸１２０及びパンチローラー１２２を抜き差ししており、部品を必要以上に分解・組立てしている。また、ローラーホルダー１１４をパンチプレート１１２から取り外さない場合は、ローラー軸１２０を貫通孔１３８（１３８Ａ、１３８Ｂ）から横方向に押し出す、又は圧入するといった力の要る細かい作業を、金型内の狭い空間で行っている。そのため、従来の構造ではパンチローラー着脱の作業性が問題とされている。
【０００９】
本発明は上記事実を考慮して、金型内の狭い空間でもパンチローラーの着脱を容易に行うことができるパンチローラー取付構造及びそれを有するリード成形金型を提供することを課題とする。
【００１０】
【課題を解決するための手段】
上記目的を達成するために請求項１に記載の発明は、成形部材を外周面により押圧して回転しながら曲げ加工する円筒形状のパンチローラーと、前記パンチローラーが挿通されて回転可能に支持する軸と、所定の間隔で配置された一対の腕部を有し、この一対の腕部に形成された同軸の貫通孔に前記軸の両端部が挿入されて軸を支持する支持部材と、を有するパンチローラー取付構造において、前記一対の腕部の一方に形成され、前記貫通孔を軸線方向に沿って開口させるとともにその開口幅寸法が貫通孔の内径よりも小さくされたスリット部と、前記軸の外周面に形成され、軸芯部側の径寸法又は厚さ寸法を前記スリット部の開口幅寸法よりも小さくさせて軸をスリット部から貫通孔に嵌脱可能とする凹部と、前記凹部を前記貫通孔内に配置した状態から前記軸が軸線方向に所定距離スライドされることによりその貫通孔に挿入される軸の一端部及び他方の腕部の貫通孔に挿入される軸の他端部と、を有することを特徴としている。
【００１１】
請求項１に記載の発明では、パンチローラーを支持する軸を支持部材に取り付けるには、軸の外周面に形成された凹部を、支持部材に設けられた一対の腕部の一方に形成されたスリット部から嵌め入れて、軸を貫通孔内にセットする。その状態から、軸を軸線方向に沿って所定距離スライドさせると、凹部が貫通孔内から抜け出して軸の一方の端部が貫通孔内に配置され、また軸の他方の端部は他方の腕部の貫通孔へと挿入される。ここで、スリット部の開口幅寸法は、貫通孔の内径、すなわち、軸径よりも小さくされているため、軸の一端部がスリット部を通り抜けて外れることはない。これにより、軸は、両端部が支持部材の両腕部に支持された状態となる。
【００１２】
また、軸を支持部材から取り外すには、軸を上記のスライド方向とは反対方向にスライドさせ凹部をスリット部に位置合わせする。すると、支持部材の両腕部の貫通孔から軸の両端部がそれぞれ離脱し、軸をスリット部から抜き出すことができる。
【００１３】
これにより、支持部材を金型等から取り外すことなく簡単に軸の抜き差しができるようになり、パンチローラーの着脱が容易となる。
【００１４】
なお、この支持部材は、両腕部を一体的に設けたり、別体として分離可能な構造とすることができる。
【００１５】
請求項２に記載の発明は、請求項１記載のパンチローラー取付構造において、前記軸の両端部がそれぞれ前記両貫通孔に挿入された状態で軸の軸線方向への移動を阻止する抜け止め手段を有することを特徴としている。
【００１６】
請求項３に記載の発明は、請求項１記載のパンチローラー取付構造において、前記軸の両端部がそれぞれ前記両貫通孔に挿入された状態で軸の回転方向への移動を阻止する回り止め手段を有することを特徴としている。
【００１７】
請求項２及び請求項３に記載の発明では、軸の軸線方向への移動を阻止する抜け止め手段や軸の回転方向への移動を阻止する回り止め手段を設けることにより、従来のように、軸を貫通孔に圧入して固定する構造に比べ、軸の抜き差しに要する力が低減される。そのため、金型内等の狭い空間でも、軸を容易に固定及び固定解除することができる。
【００１８】
請求項４に記載の発明は、請求項２及び請求項３記載のパンチローラー取付構造において、前記抜け止め手段及び回り止め手段は、前記軸の他端部外周面に形成された溝部と、前記他方の腕部に貫通孔と連通して形成されたネジ孔と、このネジ孔に螺合して軸の他端部が貫通孔に挿入された状態で先端が前記溝部に当接するネジ部材と、により構成されていることを特徴としている。
【００１９】
請求項４に記載の発明では、軸の他端部を支持部材の他方の腕部の貫通孔に挿入すると、他端部外周面に形成された溝部が貫通孔内に配置される。この他方の腕部には、貫通孔と連通するネジ孔が形成され、そのネジ孔に螺合されたネジ部材をねじ込むと、ネジ部材の先端が溝部に当接して軸を固定する。これにより、軸の抜け止め及び回り止め手段が簡単な構成により実現され、また、その固定及び固定解除も容易となる。
【００２０】
請求項５に記載の発明は、請求項２記載のパンチローラー取付構造において、前記抜け止め手段は、前記軸の他端部が前記他方の腕部の貫通孔に挿入された状態で貫通孔の外側に突出される突出部外周面に形成された周溝部と、前記周溝部に係合する係合部材と、により構成されていることを特徴としている。
【００２１】
請求項５に記載の発明では、軸の他端部を支持部材の他方の腕部の貫通孔に挿入すると、他端部の先端側が貫通孔から外側に突出される。そしてその突出部外周面に形成された周溝部にＥリング等の係合部材を係合させると、係合部材が他方の腕部に当接して軸の抜け止めがなされる。このような構成によっても、軸の抜け止め手段を簡単に実現することができる。
【００２２】
請求項６に記載の発明は、請求項２記載のパンチローラー取付構造において、前記回り止め手段は、前記回り止め手段は、前記軸の一端部側に設けられた突起部と、前記一方の腕部の外面に形成され軸の一端部が貫通孔に挿入された状態で前記突起部が係合する係合溝部と、により構成されていることを特徴としている。
【００２３】
請求項６に記載の発明では、軸の一端部が支持部材の一方の腕部の貫通孔に挿入されると、一端部側に設けられた突起部が、一方の腕部の外面に形成された係合溝部に係合し、軸の回り止めがなされる。このような構成によっても、軸の回り止め手段を簡単に実現することができる。
【００２４】
請求項７に記載の発明は、リードを有する電子部品がセットされる曲げダイが取り付けられた固定側金型と、請求項１〜請求項６の何れか１項記載のパンチローラー取付構造により前記パンチローラーを取り付けた前記支持部材を備えるとともに、前記固定側金型に接近してパンチローラーと前記曲げダイとにより前記リードを成形する可動側金型と、を有することを特徴とするリード成形金型とされる。
【００２５】
【発明の実施の形態】
［第１の実施形態］
以下、図面を参照して本発明の実施の形態を説明する。ただし、上述した従来の技術と同一構成部品について同一符合を付してその説明を省略する。
【００２６】
図１〜図３には本発明の第１の実施形態に係るパンチローラーの取付構造が示されている。図１は分解斜視図であり、図示のように、本実施形態のローラーホルダー１０は、ベース部１２上に、対向配置した腕部１４Ａ、１４Ｂが２組並設された一体構造とされている。腕部１４Ａ、１４Ｂには、同軸とされた貫通孔１６Ａ、１６Ｂが形成されており、一方の腕部１４Ａの上面に、貫通孔１６Ａを軸線方向に沿って開口させたスリット部１８が形成されている。このスリット部１８は、開口幅寸法が貫通孔１６Ａの内径よりも小さくされている。また、他方の腕部１４Ｂの外側面には、貫通孔１６Ｂの軸線と直交し孔中心に向けて貫通されたネジ孔２０が形成されている。
【００２７】
そしてこのローラーホルダー１０も、ベース部１２に形成された４個の取付孔２２にそれぞれ六角穴付ボルト１３４が挿通されて、パンチプレート１１２の取付凹部１３０に固定されるようになっている。
【００２８】
一方、パンチローラー１２２が挿通されるローラー軸２４は、一方の端部２６Ａ側の外周面で端部先端から軸線方向に所定距離内側に入った位置に、１８０度間隔で配置された２個の凹部２８が形成され、他方の端部２６Ｂの外周面には、凹部２８に対し径方向での位相が９０度ずれた位置に溝部３０が形成されている。この両凹部２８の底面の間隔、すなわち、軸芯部側の厚さ寸法は、スリット部１８の開口幅寸法よりも少し小さくされており、ローラー軸２４は、凹部２８からスリット部１８を通して貫通孔１６Ａに嵌め入れられるようになっている。さらに、同寸法とされている貫通孔１６Ａ、１６Ｂの内径は、ローラー軸２４の径寸法よりも僅かに大きくされており、これによりローラー軸２４は、貫通孔１６Ａ、１６Ｂ内をスムーズに摺動できるようにされている。
【００２９】
次に、パンチローラー１２２の取り付け手順について説明する。図２に示すように、先ず、パンチローラー１２２にローラー軸２４の端部２６Ｂ側を挿入し、凹部２８がパンチローラー１２２の端面に達する位置まで挿入する。次に、ローラー軸２４の凹部２８をスリット部１８の向きに合わせて嵌め入れ、ローラー軸２４を貫通孔１６Ａ内にセットする。ここで、パンチローラー１２２は、腕部１４Ａ、１４Ｂの間に配置される。
【００３０】
さらに、溝部３０の向きがネジ孔２０に合うよう端部２６Ａを摘んでローラー軸２４を回転させる。その位置でローラー軸２４は、凹部２８部分の外周面全面が貫通孔１６Ａの内周面と接している。
【００３１】
そして、端部２６Ａ側の端面を押し、ローラー軸２４の端部２６Ｂを腕部１４Ｂの貫通孔１６Ｂ内へと挿入すると、ローラー軸２４の両端部２６Ａ、２６Ｂがローラーホルダー１０の両腕部１４Ａ、１４Ｂに支持される。最後に、ネジ孔２０に六角穴付き止めネジ３２をねじ込み、ネジ先端を溝部３０に当接させてローラー軸２４を固定する（図３の状態）。これにより、ローラー軸２４の回り止めと貫通孔１６Ａからの抜け止めがなされ、パンチローラー１２２は、ローラーホルダー１０に取り付けられて確実に保持された状態となる。
【００３２】
また、パンチローラー１２２をローラーホルダー１０から取り外す際は、取付手順とは逆の手順になる。先ず、六角穴付き止めネジ３２を緩めてネジ先端を溝部３０から離脱させ、凹部２８が腕部１４Ａのスリット部１８に揃うようローラー軸２４をスライドさせる。そして、ローラー軸２４を回し、凹部２８をスリット部１８の向きに合わせて、ローラー軸２４を貫通孔１６Ａから引き抜くと、パンチローラー１２２がローラーホルダー１０から取り外される。
【００３３】
以上説明したように、本実施形態に係るパンチローラー取付構造では、パンチプレート１１２からローラーホルダー１０を取り外すことなく簡単にローラー軸２４の抜き差しができるようになり、したがって、パンチローラー１２２の着脱が容易となる。
【００３４】
また、ローラー軸２４をローラーホルダー１０に六角穴付き止めネジ３２によって固定していることで、従来の圧入構造よりもローラー軸２４の抜き差しが容易となる。これにより、金型内の狭い空間でも、ローラー軸２４を容易に固定及び固定解除することができる。
【００３５】
また、本実施形態の構成であれば、従来のローラー軸及びローラーホルダーに加工を施すだけで簡単に改造することができるため、安価に作製できる。
【００３６】
［第２の実施形態］
次に、本発明の第２の実施形態について説明する。本実施の形態は、ローラー軸の抜け止め手段と回り止め手段の変形例であり、ここでも、従来の技術及び第１の実施形態と同一構成もしくは同一機能部品について同一符合を付してその説明を省略する。
【００３７】
図４〜図６には、本発明の第２の実施形態に係るパンチローラー取付構造が示されている。本実施形態のローラーホルダー４０は、腕部１４Ａ外面の貫通孔１６Ａと同じ高さ位置に、横方向を向いた溝部４２が形成されており、腕部１４Ｂには、第１の実施形態で説明したネジ孔２０が形成されていない。
【００３８】
ローラー軸４４は、全長が第１実施形態のローラー軸２４よりも少し長くされている。このローラー軸４４の一方の端部４６Ａの先端部には、溝部４２と対応して形成された略直方体形状の突起部４８が設けられており、その向きは、短手方向がローラー軸２４外周面の凹部２８に合わせられている。また、他方の端部４６Ｂには、先端部近傍外周面の所定位置に、Ｅリング５０が嵌め入れられる周溝部５２が形成されている。
【００３９】
以上の構成により、パンチローラー１２２をローラーホルダー４０に取り付けるには、図５に示すように、ローラー軸４４の凹部２８がパンチローラー１２２の端面に達する位置まで端部４６Ｂ側をパンチローラー１２２に挿入してから、凹部２８をスリット部１８の向きに合わせて嵌め入れ、ローラー軸４４を貫通孔１６Ａ内にセットする。
【００４０】
そこから、突起部４８の向きが溝部４２と合うようローラー軸４４を約９０度回転させ、突起部４８を押して端部４６Ｂを腕部１４Ｂの貫通孔１６Ｂに挿入し、突起部４８を溝部４２に嵌め入れる。すると、突起部４８が溝部４２に係合してローラー軸４４の回り止めがなされる。さらに、突起部４８が溝部４２の底面に突き当たるまでローラー軸４４を差し込むと、端部４６Ｂの先端部が腕部１４Ｂの貫通孔１６Ｂから外側に突出して周溝部５２が露出し、その周溝部５２にＥリング５０を嵌め入れることで、ローラー軸４４の抜け止めがなされる。
【００４１】
またパンチローラー１２２をローラーホルダー４０から取り外すには、Ｅリング５０を外し、上記と逆の手順を行うことで、簡単に取り外すことができる。
【００４２】
したがって、本実施形態のパンチローラー取付構造でも、パンチプレート１１２からローラーホルダー４０を取り外すことなくパンチローラー１２２を着脱することができるとともに、ローラー軸４４の固定等も容易に行えるようになる。また、ローラー軸４４の抜け止め及び回り止め手段も簡単な構造によって実現されている。
【００４３】
なお、ローラーホルダーについては、第１及び第２実施形態で用いた一体構造のものに限らず、従来のような腕部が分離する構造にも適用することができる。また、ローラー軸の抜け止め及び回り止め手段については、上述した構造以外にも種々の変形が可能である。
【００４４】
【発明の効果】
本発明のパンチローラー取付構造及びそれを有するリード成形金型は上記構成としたので、パンチローラーの着脱が容易となり、リード成形金型内の狭い空間におけるパンチローラーの着脱作業性が改善される。
【図面の簡単な説明】
【図１】本発明の第１の実施形態に係るパンチローラー取付構造を示した分解斜視図である。
【図２】本発明の第１の実施形態に係るパンチローラー取付構造を示した斜視図であり、パンチローラーをローラーホルダーに取り付ける途中の状態である。
【図３】本発明の第１の実施形態に係るパンチローラー取付構造を示した斜視図であり、パンチローラーがローラーホルダーに取り付けられた状態である。
【図４】本発明の第２の実施形態に係るパンチローラー取付構造を示した分解斜視図である。
【図５】本発明の第２の実施形態に係るパンチローラー取付構造を示した斜視図であり、パンチローラーをローラーホルダーに取り付ける途中の状態である。
【図６】本発明の第２の実施形態に係るパンチローラー取付構造を示した斜視図であり、パンチローラーがローラーホルダーに取り付けられた状態である。
【図７】モールドＩＣのリード成形方法を説明する図であり、モールドＩＣがダイスプレートの曲げダイにセットされた状態である。
【図８】モールドＩＣのリード成形方法を説明する図であり、パンチローラーがリードに接した成形途中の状態である。
【図９】モールドＩＣのリード成形方法を説明する図であり、リード成形が完了した状態である。
【図１０】従来の分離型ローラーホルダーによるパンチローラー取付構造を示した分解斜視図である。
【図１１】従来の分離型ローラーホルダーによるパンチローラー取付構造を示した斜視図でる。
【図１２】従来の一体型ローラーホルダーによるパンチローラー取付構造を示した分解斜視図である。
【図１３】従来の一体型ローラーホルダーによるパンチローラー取付構造を示した斜視図でる。
【符号の説明】
１０　　　　ローラーホルダー
１４Ａ　　　腕部（一方の腕部）
１４Ｂ　　　腕部（他方の腕部）
１６Ａ　　　貫通孔
１６Ｂ　　　貫通孔
１８　　　　スリット部
２０　　　　ネジ孔
２４　　　　ローラー軸
２６Ａ　　　端部（一端部）
２６Ｂ　　　端部（他端部）
２８　　　　凹部
３０　　　　溝部
３２　　　　六角穴付き止めネジ（ネジ部材）
４０　　　　ローラーホルダー
４２　　　　溝部（係合溝部）
４４　　　　ローラー軸
４６Ａ　　　端部（一端部）
４６Ｂ　　　端部（他端部）
４８　　　　突起部
５０　　　　Ｅリング（係合部材）
５２　　　　周溝部
１００　　　モールドＩＣ（電子部品）
１０４　　　リード
１０６　　　ダイスプレート（固定側金型）
１０８　　　曲げダイ
１１２　　　パンチプレート（可動側金型）
１２２　　　パンチローラー
【図１】
2004055715.tif 000003
【図２】
2004055715.tif 000004
【図３】
2004055715.tif 000005
【図４】
2004055715.tif 000006
【図５】
2004055715.tif 000007
【図６】
2004055715.tif 000008
【図７】
2004055715.tif 000009
【図８】
2004055715.tif 000010
【図９】
2004055715.tif 000011
【図１０】
2004055715.tif 000012
【図１１】
2004055715.tif 000013
【図１２】
2004055715.tif 000014
【図１３】
2004055715.tif 000015